(57)【特許請求の範囲】
【請求項１】
パルスモータで開栓・閉栓されるパルスモータ式ガス遮断弁と、マイクロコンピュータの制御信号でパルスモータ式ガス遮断弁を駆動するパルスモータ駆動手段と、前記マイクロコンピュータの動作を監視する暴走監視手段と、前記暴走監視手段の出力で起動される二相励磁パルス発生回路手段と、前記暴走監視手段が出力を発した時、前記マイクロコンピュータからのパルスモータ制御信号を切断すると同時に前記二相励磁パルス発生回路手段からの二相励磁パルス信号を前記パルスモータ駆動手段に接続する信号切り替え手段とを設けたガスメーター制御装置。
【発明の詳細な説明】
【０００１】
【発明の属する技術分野】
本発明は、ガスメーター等に搭載したガス遮断弁の開閉制御を行うガスメーター制御装置に関するものである。
【０００２】
【従来の技術】
近年、各家庭に設置されているガスメーターは、ガス使用量の計量のみならず地震発生時やガスの使用流量等から異常状態をマイクロコンピュータが判定し、緊急時にガスを自動的に遮断する保安機能が搭載されており、ガスをより安全に安心して使用できるようになっている。
【０００３】
従来、この種のガスメーター等には電気的パルス信号で自己保持機能を有するソレノイド式のガス遮断弁が搭載され、マイクロコンピュータを含む電子回路と共に電池電源で制御されている。そして、緊急時にはガス遮断弁をマイクロコンピュータから出力される電気的パルス信号で閉栓し、開栓は復帰ボタンスイッチや通信制御による遠隔操作によって閉栓と同様にマイクロコンピュータから出力される電気的パルス信号で制御されるものが主流であった。
【０００４】
【発明が解決しようとする課題】
しかしながら従来のガスメーター制御装置では、次のような課題があった。すなわち電気的パルス信号で自己保持機能を有するソレノイド式遮断弁は外部からの衝撃等によって閉栓し易いという問題があるのに対して、パルスモータ式のガス遮断弁は衝撃に強いという利点を有するものの、マイクロコンピュータがプログラム暴走などを起こした場合には保安遮断が課題となっていた。
【０００５】
【課題を解決するための手段】
本発明は、パルスモータで開栓・閉栓されるパルスモータ式ガス遮断弁と、マイクロコンピュータの制御信号でパルスモータ式ガス遮断弁を駆動するパルスモータ駆動手段と、前記マイクロコンピュータの動作を監視する暴走監視手段と、前記暴走監視手段の出力で起動される二相励磁パルス発生回路手段と、前記暴走監視手段が出力を発した時、前記マイクロコンピュータからのパルスモータ制御信号を切断すると同時に前記二相励磁パルス発生回路手段からの二相励磁パルス信号を前記パルスモータ駆動手段に接続する信号切り替え手段とを設け、暴走監視手段がマイクロコンピュータの暴走を検知した場合にはガス遮断弁を閉栓して安全性を向上するようにしたものである。
【０００６】
本発明のガスメーター制御装置は、パルスモータで開栓・閉栓されるパルスモータ式ガス遮断弁と、マイクロコンピュータの制御信号でパルスモータ式ガス遮断弁を駆動するパルスモータ駆動手段と、マイクロコンピュータの動作を監視する暴走監視手段と、暴走監視手段の出力で起動される二相励磁パルス発生回路手段と、前記暴走監視手段が出力を発した時、前記マイクロコンピュータからのパルスモータ制御信号を切断すると同時に前記二相励磁パルス発生回路手段からの二相励磁パルス信号を前記パルスモータ駆動手段に接続する信号切り替え手段とを設け、暴走監視手段がマイクロコンピュータの暴走を検知したとき前記ガス遮断弁を閉栓して安全性を高めることができる。
【０００７】
また、暴走監視手段に、発振クロック信号をカウントするカウンターをプログラム制御によって定期的にリセットするウオッチドッグカウンタ回路を内蔵したマイクロコンピュータで構成することにより、部品点数の削減と信頼性の向上を図ることができる。
【０００８】
さらに、二相励磁パルス発生回路手段および信号切り替え手段の回路電源を暴走監視手段からの出力信号によって供給することにより、消費電流を低減して電池を有効に活用することができる。
【０００９】
さらにまた、二相励磁パルス発生回路はパルスモータ遮断弁の閉栓に必要なパルス数を出力した後、動作を停止する構成にしたことにより、遮断を安定にすることができる。
【００１０】
【実施例】
以下、本発明の実施例について図１〜図４を参照しながら説明する。
【００１１】
（実施例１）
図１は本発明の実施例１におけるガスメーター制御装置の回路構成図で、図２はパルスモータ式遮断弁の動作シーケンス図である。
【００１２】
図１において、１はマイクロコンピュータで流量センサや圧力センサ、感震器センサ（いづれも図示せず）の信号を監視し、ガス流量の異常やガス圧力の異常、地震による震動を検知した時には、ガス遮断弁を閉栓する機能を有している。２はパルスモータ式遮断弁で９０°位相のずれた二相励磁のパルス信号で制御される。３はパルスモータ式遮断弁のモータ駆動手段で、二相のモータコイルを駆動する回路が内蔵されている。
【００１３】
４はマイクロコンピュータの暴走監視手段で、例えば、マイクロコンピュータが正常にプログラム処理を実行している場合は所定周期のパルス信号が出力され、暴走時には所定パルス出力とならないことで暴走状態を判断する。５は第２の二相励磁パルス出力手段で、暴走監視手段４からの出力信号で起動される。６は信号切り替え手段で、マイクロコンピュータ４が暴走や停止した時、マイクロコンピュータ４からのパルス制御信号経路を切断し、第２の二相励磁パルス出力手段５のパルス信号をパルスモータ駆動手段３に接続するもので、アナログスイッチ等で構成される。７はガスメーター制御装置の電源を構成するリチウム電池である。
【００１４】
次に図２を参照して動作シーケンスを説明する。縦軸に回路信号、横軸に時間を示す。ｔ１からｔ２はマイクロコンピュータが正常に動作している状態で所定周期のパルスＰ１が出力されている。暴走監視手段４の一例としてコンデンサの充電電圧ＶＣをＶＥに到達する前に前記Ｐ１で定期的に放電させることによって正常判断するが、時刻ｔ３ではＰ１出力が停止状態なのでＶＣ電圧がＶＥを越えりことになる。この時点をマイクロコンピュータの暴走状態と判定して暴走検知信号４ａを出力する。
【００１５】
暴走検知信号４ａの出力によってパルス信号切り替え手段６はマイクロコンピュータからの二相励磁パルス出力信号１ａおよび１ｂを切り離し、第２の二相励磁パルス出力手段５の５ａと５ｂのパルス信号に接続する回路構成としている。
【００１６】
以上のように構成されたガスメーター制御装置において、マイクロコンピュータがプログラム暴走等による異常を起こし時、マイクロコンピュータの出力信号が不確定になるが、パルス信号切り替え手段によって第２の二相励磁パルス出力が確実にパルスモータ式遮断弁を駆動して安定にガスを遮断することができる。
【００１７】
なお、本実施例において、二相励磁パルス発生回路はパルスモータ遮断弁の閉栓に必要なパルス数を出力した後、動作を停止するようにしてもよい。
【００１８】
（実施例２）
図３は、本発明の実施例２におけるガスメーター制御装置の制御構成図である。
【００１９】
本実施例では、暴走監視手段をマイクロコンピュータの発振クロック信号をカウントするカウンターをプログラム制御によって定期的にリセットするウオッチドッグカウンタ回路８を内蔵したマイクロコンピュータ９で構成すると共に、パルス信号切り替え回路と二相励磁パルス回路に電源スイッチ回路１０を設けて暴走監視手段からの信号が出力された時のみ通電するように構成したものである。
【００２０】
【発明の効果】
以上のように、本発明によれば、パルスモータ式ガス遮断弁をマイクロコンピュータ暴走時に、マイクロコンピュータの出力信号が不確定になるが、確実にパルスモータ式遮断弁を駆動して安定にガスを遮断することができ、ガスメーター制御装置としての動作信頼度を高めることができる。
【図面の簡単な説明】
【図１】本発明の実施例１におけるガスメーター制御装置の制御構成図
【図２】同装置の動作シーケンス図
【図３】本発明の実施例２におけるガスメーター制御装置の制御構成図
【符号の説明】
１  マイクロコンピュータ
２  パルスモータ式ガス遮断弁
３  モータ駆動手段
４  暴走監視手段
５  二相励磁パルス発生手段
６  信号切り替え手段
７  リチュウム電池
【図１】
0003690333.tif 000002
【図２】
0003690333.tif 000003
【図３】
0003690333.tif 000004